(57)【要約】【課題】携帯端末本体を操作しなくても入力操作を簡便に行うことができる入力システムの提供。【解決手段】近距離通信機能を有する携帯端末装置と、使用者の身体に装着する指輪などの物品と、で構成される入力システムにおいて、前記物品は、物品本体と、前記物品本体の動きを検知して軌跡を求め、文字又は図形として認識するジェスチャ認識装置と、前記ジェスチャ認識装置で認識した文字又は図形を、前記携帯端末装置に送信する近距離通信装置と、を備え、前記携帯端末装置は、前記物品から受信した文字又は図形に対応する操作を判別し、当該操作に基づく処理を実行する操作判別部を備える。【選択図】図１
2011221669.tif 000002
【特許請求の範囲】
【請求項１】
近距離通信機能を有する携帯端末装置と、使用者の身体に装着する物品と、で構成される入力システムにおいて、
前記物品は、物品本体と、前記物品本体の動きを検知して軌跡を求め、文字又は図形として認識するジェスチャ認識装置と、前記ジェスチャ認識装置で認識した文字又は図形を、前記携帯端末装置に送信する近距離通信装置と、を備え、
前記携帯端末装置は、前記物品から受信した文字又は図形に対応する操作を判別し、当該操作に基づく処理を実行する操作判別部を備える、ことを特徴とする入力システム。
【請求項２】
近距離通信機能を有する携帯端末装置と、使用者の身体に装着する物品と、で構成される入力システムにおいて、
前記物品は、物品本体と、前記物品本体の動きを検知して軌跡を求めるジェスチャ認識装置と、前記ジェスチャ認識装置で求めた軌跡を、前記携帯端末装置に送信する近距離通信装置と、を備え、
前記携帯端末装置は、前記物品から受信した軌跡を文字又は図形として認識し、認識した文字又は図形に対応する操作を判別し、当該操作に基づく処理を実行する操作判別部を備える、ことを特徴とする入力システム。
【請求項３】
前記文字又は図形に対応する操作とは、メニュー操作、スクロール操作、文字入力操作のいずれかである、ことを特徴とする請求項１又は２に記載の入力システム。
【請求項４】
前記物品本体は、指輪である、ことを特徴とする請求項１乃至３のいずれか一つに記載の入力システム。
【発明の詳細な説明】
【技術分野】
【０００１】
本発明は、入力システムに関し、特に、携帯端末装置と使用者の身体に装着する物品とを備える入力システムに関する。
【背景技術】
【０００２】
近年の携帯電話機などの携帯端末装置は、通話機能や電子メール機能に加えて、カメラ機能やプロジェクタ機能などの様々な機能を備えているものが多い。このような各種機能を利用する場合、メニュー操作や文字入力操作は携帯端末装置本体で行わなければならず煩雑である。このような背景から、入力操作を簡便にする方法の提案が求められている。
【０００３】
携帯端末装置とは分野が異なるが、車載機器の入力操作を簡略化する技術として、例えば、下記特許文献１には、複数の操作項目を有する機器を操作するためのものであって、前記複数の操作項目のうち、ユーザが選択可能な操作項目を予め定められた順序に従って所定間隔で１つずつ自装置の操作対象として選択する選択手段と、前記操作対象を選択する間隔に合わせて、現在操作対象となっている操作項目をユーザに通知する通知手段と、ユーザからの各種指示を入力する指示入力手段と、この指示入力手段で所定の選択指示が入力されたときに前記操作対象となっている操作項目に基づき前記機器に対する操作を行う手段とを具備する入力インターフェース装置が開示されている。
【先行技術文献】
【特許文献】
【０００４】
【特許文献１】特開２００７−１６４８１４号公報
【発明の概要】
【発明が解決しようとする課題】
【０００５】
上記特許文献１の技術を携帯端末装置に応用することにより、入力操作を簡略化することは可能である。しかしながら、上記技術は画像入力装置で取得した指の画像を処理して操作を認識するものであり、このような画像処理を携帯端末装置で行うと、携帯端末装置の構成が複雑になると共に、携帯端末装置の他の機能の動作に支障が生じる。
【０００６】
また、上記技術はハンドルを握る指の画像を撮像するものであるため、画像入力装置は一定の方向を撮像すればよいが、携帯端末装置のカメラ機能を利用する場合、使用者の特定の部位を常に撮像することはできない。
【０００７】
本発明は、上記問題点に鑑みてなされたものであって、その主たる目的は、携帯端末装置本体を操作しなくても入力操作を簡便に行うことができる入力システムを提供することにある。
【課題を解決するための手段】
【０００８】
上記目的を達成するため、本発明は、近距離通信機能を有する携帯端末装置と、使用者の身体に装着する物品と、で構成される入力システムにおいて、前記物品は、物品本体と、前記物品本体の動きを検知して軌跡を求め、文字又は図形として認識するジェスチャ認識装置と、前記ジェスチャ認識装置で認識した文字又は図形を、前記携帯端末装置に送信する近距離通信装置と、を備え、前記携帯端末装置は、前記物品から受信した文字又は図形に対応する操作を判別し、当該操作に基づく処理を実行する操作判別部を備えるものである。
【０００９】
また、本発明は、近距離通信機能を有する携帯端末装置と、使用者の身体に装着する物品と、で構成される入力システムにおいて、前記物品は、物品本体と、前記物品本体の動きを検知して軌跡を求めるジェスチャ認識装置と、前記ジェスチャ認識装置で求めた軌跡を、前記携帯端末装置に送信する近距離通信装置と、を備え、前記携帯端末装置は、前記物品から受信した軌跡を文字又は図形として認識し、認識した文字又は図形に対応する操作を判別し、当該操作に基づく処理を実行する操作判別部を備えるものである。
【発明の効果】
【００１０】
本発明の入力システムによれば、携帯端末本体を操作しなくても入力操作を簡便に行うことができる。その理由は、Bluetoothなどの近距離無線通信機能を備えた携帯端末装置と、指輪などの使用者の身体に装着する物品とを備える入力システムにおいて、上記物品に近距離通信装置とジェスチャ認識装置とを設け、ジェスチャ認識機能は物品の動きに基づいて文字や図形を認識し、認識した文字や図形を近距離通信装置により携帯端末装置に送信し、携帯端末装置では、受信した文字や図形に対応する操作を判別し、その操作に基づく処理を実行する制御を行うからである。
【００１１】
また、ジェスチャ認識機能は物品の動きに基づいて軌跡を求め、求めた軌跡を近距離通信装置により携帯端末装置に送信し、携帯端末装置では、受信した軌跡を文字や図形として認識し、認識した文字や図形に対応する操作を判別し、その操作に基づく処理を実行する制御を行うからである。
【００１２】
これにより、携帯端末装置本体から離れた場所から携帯端末装置のメニュー操作やスクロール操作、文字入力操作などを実行することができ、使用者の利便性を向上させることができる。
【図面の簡単な説明】
【００１３】
【図１】本発明の一実施例に係る入力システムの構成を模式的に示す図である。
【図２】本発明の一実施例に係る携帯端末装置の構成を示すブロック図である。
【図３】本発明の一実施例に係る指輪に設けられるジェスチャ認識装置の構成を示すブロック図である。
【発明を実施するための形態】
【００１４】
背景技術で示したように、近年の携帯端末装置には様々な機能が設けられており、それらの機能を実行するためには携帯端末装置本体を操作しなければならず、操作が煩雑になるという問題がある。
【００１５】
この問題に対して、特許文献１のように、使用者の身体の動きを画像認識して、その動きに対応する操作を実行することも可能であるが、この方法では装置の構成が複雑になると共に他の機能の動作に支障が生じる。また、携帯端末装置のカメラ機能を用いて常に使用者の特定部分を撮像するのは困難である。
【００１６】
そこで、本発明の一実施の形態では、Bluetoothなどの近距離通信機能を備えた携帯端末装置と、指輪などの使用者の身体に装着する物品とを備える入力システムにおいて、上記物品に近距離通信装置とジェスチャ認識装置とを設け、ジェスチャ認識装置は物品の動きに基づいて文字や図形を認識し、その文字や図形を近距離通信装置を用いて携帯端末装置に送信し、携帯端末装置では、文字や図形に対応する操作を判別し、その操作に基づく処理を実行する制御を行う。
【００１７】
これにより、携帯端末装置に高度な画像処理を行わせることなく、入力操作を簡便に行うことが可能となる。
【実施例】
【００１８】
上記した本発明の実施の形態についてさらに詳細に説明すべく、本発明の一実施例に係る入力システムについて、図１乃至図３を参照して説明する。図１は、本実施例の入力システムの構成を模式的に示す図である。また、図２は、本実施例の携帯端末装置の構成を示すブロック図であり、図３は、本実施例のジェスチャ認識装置の構成を示すブロック図である。
【００１９】
図１に示すように、本実施例の入力システムは、携帯電話機やＰＤＡ（Personal Digital Cellular）などの携帯端末装置１０と、使用者の身体に装着する物品（いわゆる装身具、本実施例では指輪２０とする。）とで構成される。
【００２０】
また、図２に示すように、携帯端末装置１０は、制御部１１、無線通信部１２、近距離通信部１３、カメラ部１４、音声処理部１５、表示部１６、操作部１７、記憶部１８、電源（図示せず）などを備えている。
【００２１】
制御部１１は、ＣＰＵ（Central Processing Unit）と、ＲＯＭ（Read Only Memory）やＲＡＭ（Random Access Memory）などのメモリとで構成される。ＣＰＵは、電話機能、メール機能、インターネット（ｗｅｂ）接続機能、カメラ機能、その他の携帯端末装置の有する機能や各部の制御を行う。メモリは、記憶部１８から読み込んだ種々のデータを一時的に記憶する部分であり、記憶されたデータはＣＰＵによって処理され、必要に応じて記憶部１８に転送される。
【００２２】
また、制御部１１は、記憶部１９に予め記憶したテーブルを参照して、指輪２０から送信された文字や図形に対応する操作を判別して実行する操作判別部１１ａとしても機能する。この操作判別部１１ａはハードウェアとして構成してもよいし、コンピュータを上記操作判別部１１ａとして機能させる制御プログラムとして構成し、当該制御プログラムを制御部１１上で動作させる構成としてもよい。
【００２３】
無線通信部１２は、アンテナを介して無線基地局装置との間で無線により情報の送受を行う。
【００２４】
近距離通信部１３は、２．４５ＧＨｚ帯の電波を利用したBluetoothや赤外線通信技術などを用いて、指輪２０の近距離通信装置２３と交信し、指輪２０のジェスチャ認識装置２２で認識した文字や図形を受信する。
【００２５】
カメラ部１４は、画像情報の取得（撮影）を行う。
【００２６】
音声処理部１５は、送話部（マイク１５ｂ）および受話部（スピーカ１５ａ）を介して入出力された音声信号の処理を行う。
【００２７】
表示部１６は、液晶表示装置（ＬＣＤ：Liquid Crystal Display）や有機ＥＬ（electroluminescence）表示装置等からなり、画像、図形、文字、記号などの情報表示出力（映像信号処理）を行う。
【００２８】
操作部１７は、テンキー、スクロールキー、十字キー、決定キー等から構成され、携帯端末装置１０に対する各種情報の入力を可能にする。
【００２９】
記憶部１９は、フラッシュメモリ等からなり、電話帳情報、送受信メール情報、発着呼情報、アプリケーションプログラム情報、撮影画像、及び携帯端末装置１０の諸設定、文字や図形と操作とを対応付けるテーブルなどを格納する。
【００３０】
また、指輪２０は、使用者の身体（指）に装着する指輪本体２１、ジェスチャ認識装置２２、近距離通信装置２３、電源（図示せず）などを備えている。
【００３１】
ジェスチャ認識装置２２は、指輪本体２１に固定され、使用者の指の動作（ジェスチャ）を認識する。具体的には、図３に示すように、動作検知部２２ａ、ジェスチャ判定部２２ｂ、記憶部２２ｃなどで構成される。動作検知部２２ａは、加速度センサなどで構成され、使用者の指の動作（ジェスチャ）を検出してジェスチャ判定部２２ｂに送信する。ジェスチャ判定部２２ｂは、加速度センサの出力と時間から移動距離と移動方向を算出して座標に変換し、各座標を繋ぎ合わせた軌跡を求め、記憶部２２ｃに予め記憶したテーブルを参照して文字や図形を特定する。記憶部２２ｃは、対象となる文字や図形の形状を記憶する。
【００３２】
近距離通信装置２３は、Bluetoothなどを用いて、携帯端末装置１０の近距離通信部１３と交信し、ジェスチャ認識装置２２で認識した文字や図形を携帯端末装置１０に送信する。
【００３３】
なお、図１乃至図３は本実施例の一例であり、本発明の趣旨を逸脱しない限りにおいて、その構成は適宜変更可能である。例えば、図１では、指輪本体２１の周囲にジェスチャ認識装置２２と近距離通信装置２３を配置したが、指輪本体２１の内部にこれらの装置を埋め込んでもよい。
【００３４】
以下、本実施例の入力システムの動作について説明する。
【００３５】
まず、使用者は指輪２０の指輪本体２１を指に装着する。また、指輪２０のジェスチャ認識装置２２や近距離通信装置２３を動作させるためのスイッチが設けられている場合は、当該スイッチをオンする。また、携帯端末装置１０の近距離通信部１３を機能させるためのスイッチが設けられている場合は、当該スイッチをオンする。
【００３６】
次に、使用者は指を動かし、予め定めた所定のジェスチャを行う。なお、指の動かし方は任意であり、例えば、指で文字や図形などを描いたり、指を上下や左右に振るなどの動作を行う。
【００３７】
すると、指輪２０のジェスチャ認識装置２２は、使用者の指の動きを検出し、加速度センサの出力と時間から移動距離と移動方向を算出して軌跡を求め、記憶部２２ｃに予め記憶したテーブルを参照して、指先が描いた軌跡を文字や図形として認識する。
【００３８】
次に、指輪２０の近距離通信装置２３は、ジェスチャ認識装置２２が認識した文字や図形を携帯端末装置１０の近距離通信部１３に送信する。
【００３９】
携帯端末装置１０の制御部１１（操作判別部１１ａ）は、記憶部１８に予め記憶したテーブルを参照して、指輪２０から受信した文字や図形に対応する操作を判別し、その操作に基づく処理を実行する。
【００４０】
例えば、使用者が「Ｍ」、「め」、「メ」などの文字や特定の図形を描いた場合は、操作判別部１１ａはメニュー操作であると判別し、メニュー画面を表示部１６に表示させる。また、使用者が指を上下や左右に振る動作をした場合は、操作判別部１１ａは画面のスクロール操作であると判別し、画面をスクロールさせる。また、メール作成の場合は、指輪２０から受信した文字や図形を本文に挿入する。
【００４１】
このように、ジェスチャ認識装置２２を備える指輪２０を動かすと、指輪２０の動きが文字や図形として認識されて携帯端末装置１０に送信され、携帯端末装置１０では、その文字や図形に対応する操作を判別して実行するため、使用者は携帯端末装置１０の操作部１７を操作しなくても特定の操作を行うことができ、簡便に入力操作を実行することができる。
【００４２】
なお、上記説明では、指輪２０のジェスチャ認識装置２２で文字又は図形を認識する構成としたが、ジェスチャ認識装置２２は、使用者の指先が描いた軌跡をそのまま軌跡情報として認識し、その軌跡情報を携帯端末装置１０に送信しても良い。その場合、携帯端末装置１０の記憶部１８に軌跡情報と文字や図形とを対応付けるテーブルを記憶しておき、操作判別部１１ａは、このテーブルを参照して文字や図形を認識すればよい。
【００４３】
また、上記実施例では、ジェスチャ認識装置２２を備えた指輪２０を１つ用いたが、本発明は上記実施例に限定されるものではなく、ジェスチャ認識装置２２を備えた指輪２０を複数の指に装着し、複数の指の動作でジャスチャを行ってもよい。また、上記実施例では、指輪２０にジェスチャ認識装置２２と近距離通信装置２３とを設けたが、時計などに同様の機能を持たせても良い。
【産業上の利用可能性】
【００４４】
本発明は、近距離通信機能を用いて、使用者の身体に装着する物品と携帯通信端末との間で通信を行う任意の入力システムに利用可能である。
【符号の説明】
【００４５】
１０  携帯端末装置
１１  制御部
１１ａ  操作判別部
１２  無線通信部
１３  近距離通信部
１４  カメラ部
１５  音声処理部
１５ａ  スピーカ
１５ｂ  マイク
１６  表示部
１７  操作部
１８  記憶部
２０  指輪
２１  指輪本体
２２  ジェスチャ認識装置
２２ａ  動作検知部
２２ｂ  ジェスチャ判定部
２２ｃ  記憶部
２３  近距離通信部
【図１】
2011221669.tif 000003
【図２】
2011221669.tif 000004
【図３】
2011221669.tif 000005